(57)【要約】      （修正有）【課題】必要な強度を確保しながら軽量化を図りつつ、必要な光学特性を維持できるリフレクタの提供。【解決手段】リフレクタは、自転車に取付けるように構成されるリフレクタであって、本体１を備え、前記本体は、第１の方向からの光を再帰性反射させる再帰性反射構造１Ｂと、前記第１の方向に対して斜めに傾斜する表面とを含む。前記表面は少なくとも２つの線の組合せからなり、前記２つの線の境界は前記断面の中央部分に位置し、前記中央部分において前記本体の厚みが最大となる。【選択図】図２
0003221976.tif 000002
【実用新案登録請求の範囲】
【請求項１】
自転車に取付けるように構成されるリフレクタであって、
本体を備え、前記本体は、
第１の方向からの光を再帰性反射させる再帰性反射構造と、
前記第１の方向に対して斜めに傾斜する表面とを含む、リフレクタ。
【請求項２】
前記表面は少なくとも２つの線の組合せからなり、前記２つの線の境界は前記本体の断面の中央部分に位置し、前記中央部分において前記本体の厚みが最大となる、請求項１に記載のリフレクタ。
【請求項３】
前記２つの線は、前記リフレクタの外側に凸な形状を形成する、請求項１に記載のリフレクタ。
【請求項４】
前記本体の最大厚みは３．５ｍｍ以上５．０ｍｍ以下である、請求項１または請求項２に記載のリフレクタ。
【考案の詳細な説明】
【技術分野】
【０００１】
本考案は、自転車に取付けるように構成されるリフレクタに関する。
【背景技術】
【０００２】
自転車に取付けるように構成されるリフレクタが従来から知られている。このようなリフレクタとしては、たとえば、特許文献１ないし特許文献３に記載のものが挙げられる。
【先行技術文献】
【特許文献】
【０００３】
【特許文献１】特開２００１−１３０３１７号公報
【特許文献２】実用新案登録第３０７６６８５号公報
【特許文献３】特開２００４−２４９９１１号公報
【非特許文献】
【０００４】
【非特許文献１】ＪＩＳ  Ｄ  ９４５２：２０１８「自転車−リフレックスリフレクタ」
【考案の概要】
【考案が解決しようとする課題】
【０００５】
自転車に取付けられるリフレクタとして必要な所定の光学特性ないし強度が求められる。他方、リフレクタとして必要な強度も求められる。必要な強度は、たとえば非特許文献１に示すような基準により定められている。
【０００６】
本考案の目的は、自転車の車輪の２本のスポークの間に取付けるように構成されるリフレクタにおいて、必要な強度を確保しながら軽量化を図りつつ、リフレクタとして必要な光学特性を維持することにある。
【課題を解決するための手段】
【０００７】
本考案に係るリフレクタは、自転車に取付けるように構成されるリフレクタであって、本体を備え、前記本体は、第１の方向からの光を再帰性反射させる再帰性反射構造と、前記第１の方向に対して斜めに傾斜する表面とを含む。
【０００８】
なお、本願明細書において「第１の方向に対して斜めに傾斜する」とは、平面状の表面が第１の方向に対して垂直でない角度で交わる場合と、曲面状の表面の少なくとも一部ないし大部分が第１の方向に対して垂直でない角度で交わる場合とを含む。
【０００９】
上記構成によれば、本体の表面が第１の方向に対して斜めに傾斜する表面を有することにより、必要な強度を確保しながら軽量化を図りつつ、リフレクタとして必要な光学特性を維持することができる。
【００１０】
１つの実施態様では、前記表面は少なくとも２つの線の組合せからなり、前記２つの線の境界は前記本体の断面の中央部分に位置し、前記中央部分において前記本体の厚みが最大となる。
【００１１】
上記構成によれば、反射面の形状を少なくとも２つの曲線の組合せから構成することで、単一の円弧形状からなる反射面と比較して、中央部分における本体の最大厚みを所定値以上として基準を満たす強度を確保するとともに、中央部分から離れた領域では本体の厚みを効果的に薄くしてリフレクタの軽量化を図りつつ、リフレクタとして必要な光学特性を維持することができる。
【００１２】
１つの実施態様では、上記リフレクタにおいて、前記２つの線は、前記リフレクタの外側に凸な形状を形成する。
【００１３】
上記構成によれば、必要な強度を確保しながらリフレクタの軽量化を促進することができる。
【００１４】
１つの実施態様では、上記リフレクタにおいて、前記本体の最大厚みは３．５ｍｍ以上５．０ｍｍ以下である。
【００１５】
上位構成によれば、本体の最大厚みを３．５ｍｍ以上とすることで、必要な強度を確保することができる。また、本体の最大厚みを５．０ｍｍ以下とすることで、リフレクタの軽量化を促進することができる。
【００１６】
本明細書において、本体の厚みは、表面から再帰性反射構造の凸部の先端に相当する高さまでの厚みを意味する。
【考案の効果】
【００１７】
本考案によれば、自転車の車輪の２本のスポークの間に取付けるように構成されるリフレクタにおいて、必要な強度を確保しながら軽量化を図りつつ、リフレクタとして必要な光学特性を維持することが可能である。
【図面の簡単な説明】
【００１８】
【図１】本考案の１つの実施の形態に係るリフレクタを示す正面図である。
【図２】図１に示すリフレクタのII−II断面図である。
【図３】本考案の他の実施の形態に係るリフレクタを示す正面図である。
【図４】図３に示すリフレクタのIＶ−IＶ断面図である。
【考案を実施するための形態】
【００１９】
以下に、本考案の実施の形態について説明する。なお、同一または相当する部分に同一の参照符号を付し、その説明を繰返さない場合がある。
【００２０】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本考案にとって必ずしも必須のものではない。
【００２１】
図１は、本実施の形態に係るリフレクタを示す正面図である。図１に示すように、本考案に係るリフレクタ１００は、本体１と、第１固定部２Ａと、第２固定部２Ｂとを含む。
【００２２】
本体１は、反射面１Ａを有する。第１固定部２Ａおよび第２固定部２Ｂは、本体１の両端部に位置する。第１固定部２Ａおよび第２固定部２Ｂによって、リフレクタ１００は自転車の車輪の２本のスポークの間に取付けられる。つまり、第１固定部２Ａは、本体１の一端部を自転車の車輪の１本のスポークに固定し、第２固定部２Ｂは、本体１の他端部を自転車の車輪の他の１本のスポーク（典型的には上記１本のスポークに隣接するスポーク）に固定するものである。
【００２３】
図２は、図１に示すリフレクタのII−II断面図である。図２に示すように、本体１は、表面１Ａと、矢印Ａの方向からの光を再帰性反射させる再帰性反射構造１Ｂとを有する。再帰性反射構造１Ｂ上には所定の凹凸が形成され、この凹凸によって、矢印Ａの方向からリフレクタ１００の本体１に入射した光が再帰性反射する。これにより、リフレクタとして必要な光学特性が維持される。
【００２４】
表面１Ａは、曲線群１０Ａからなる外形を含む。曲線群１０Ａは、第１の曲線１１Ａと第２の曲線１２Ａとを含む。曲線群１０Ａは、３つ以上の曲線を含んでいてもよい。
【００２５】
第１の曲線１１Ａと第２の曲線１２Ａとの境界部分は、本体１の中央部付近に位置する。図２に示す例では、本体１の断面形状は、境界部分１３Ａを含む中心線に関して対称な形状を有する。第１の曲線１１Ａと第２の曲線１２Ａは、矢印Ａの方向に対して斜めに傾斜するように形成されている。第１の曲線１１Ａと第２の曲線１２Ａの一部が矢印Ａに対して垂直に交差してもよい。
【００２６】
本体１の両端には、第１端部２０Ａと第２端部２０Ｂとが位置している。第１端部２０Ａは、第１固定部２Ａにより自転車の車輪の１本のスポークに固定され、第２端部２０Ｂは、第２固定部２Ｂにより自転車の車輪の他の１本のスポーク（典型的には上記１本のスポークに隣接するスポーク）に固定される。
【００２７】
本体１は、第１の曲線１１Ａと第２の曲線１２Ａとの境界部分１３Ａにおいて、その最大厚みを有する。本体１の最大厚みＴ１は、好ましくは、３．５ｍｍ以上５．０ｍｍ以下程度である。
【００２８】
本体１は、第１の曲線１１Ａおよび第２の曲線１２Ａの他端部（境界部分１３Ａに対して反対側の端部）において、その最小厚みを有する。本体１の最小厚みＴ２は、好ましくは、２．７ｍｍ以上３．７ｍｍ以下程度である。
【００２９】
本実施の形態に係るリフレクタ１００によれば、自転車の車輪の２本のスポークの間に取付けるように構成されるリフレクタとして必要な強度を確保しながら軽量化を図りつつ、リフレクタとして必要な光学特性を維持することが可能である。より具体的には、反射面１Ａの形状を第１の曲線１１Ａおよび第２の曲線１２Ａの組合せから構成することで、単一の円弧形状からなる反射面と比較して、中央の境界部分１３Ａにおける本体１の最大厚みＴ１を所定値以上として基準を満たす強度を確保するとともに、中央の境界部分１３Ａから離れた領域では本体１の最小厚みＴ２を効果的に薄くして、リフレクタ１００の軽量化を図りつつ、リフレクタとして必要な光学特性を維持することができる。
【００３０】
上述した内容について要約すると、以下のようになる。すなわち、本実施の形態に係るリフレクタ１００は、自転車に取付けるように構成されるものであって、本体Ａを備える。本体１は、表面１Ａと、矢印Ａの方向からの光を再帰性反射させる再帰性反射構造１Ｂと、本体１を２本のスポークに各々固定するための第１固定部２Ａおよび第２固定部２Ｂとを備える。表面１Ａの少なくとも一部は、矢印Ａの方向に対して斜め（垂直でない角度で交差する方向）に傾斜するように形成される。より具体的には、第１固定部２Ａと第２固定部２Ｂとが並ぶ方向に沿う方向の本体１の断面（図２に示す断面）において、反射面１Ａは少なくとも第１の曲線１１Ａおよび第２の曲線１２Ａの２つの曲線の組合せからなり、第１の曲線１１Ａおよび第２の曲線１２Ａの境界部分１３Ａは、II−II断面の中央部分に位置し、この中央部分において本体１の厚みが最大となる。
【００３１】
また、リフレクタ１００において、第１の曲線１１Ａおよび第２の曲線１２Ａが、反射面１Ａからみて１００リフレクタの外側に凸な形状（図２の上方向に凸な形状）を有することにより、リフレクタ１００として必要な強度を確保しながらリフレクタ１００の軽量化を促進することができる。
【００３２】
また、本体１の最大厚みＴ１を３．５ｍｍ以上とすることで、必要な強度を確保することができる一方で、本体１の最大厚みＴ１を５．０ｍｍ以下とすることで、リフレクタ１００の軽量化を促進することができる。しかし、本体１の最大厚みＴ１はこれに限定されない。
【００３３】
さらに、本体１の最小厚みＴ２を２．７ｍｍ以上とすることで、成形後のリフレクタ１００を成形型から取り外しやすくなる。また、本体１の最小厚みを３．７ｍｍ以下とすることで、リフレクタ１００の軽量化を促進することができる。しかし、本体１の最小厚みＴ２はこれに限定されない。
【００３４】
図３は、変形例に係るリフレクタ１００の正面図であり、図４は、図３に示すリフレクタのIＶ−IＶ断面図である。図３、図４に示す例では、第１の曲線１１Ａおよび第２の曲線１２Ａの並ぶ方向が図１、図２の例とは異なっているが、この例においても、必要な強度を確保しながら軽量化を図りつつ、リフレクタとして必要な光学特性を維持することが可能である。
【００３５】
以上、本考案の実施の形態について説明したが、今回開示された実施の形態はすべての点で例示であって制限的なものではないと考えられるべきである。本考案の範囲は実用新案登録請求の範囲によって示され、実用新案登録請求の範囲と均等の意味および範囲内でのすべての変更が含まれることが意図される。
【符号の説明】
【００３６】
１  本体、１Ａ  表面、１Ｂ  再帰性反射構造、２Ａ  第１固定部、２Ｂ  第２固定部、１０Ａ  曲線群、１１Ａ  第１の曲線、１２Ａ  第２の曲線、１３Ａ  境界部分、２０Ａ  第１端部、２０Ｂ  第２端部、１００  リフレクタ。
【図１】
0003221976.tif 000003
【図２】
0003221976.tif 000004
【図３】
0003221976.tif 000005
【図４】
0003221976.tif 000006
【手続補正書】
【提出日】平成31年4月25日(2019.4.25)
【手続補正１】
【補正対象書類名】実用新案登録請求の範囲
【補正対象項目名】全文
【補正方法】変更
【補正の内容】
【実用新案登録請求の範囲】
【請求項１】
自転車に取付けるように構成されるリフレクタであって、
本体を備え、前記本体は、
第１の方向からの光を再帰性反射させる再帰性反射構造と、
前記第１の方向に対して斜めに傾斜する表面とを含む、リフレクタ。
【請求項２】
前記本体の厚み方向の断面において、前記表面は２つの線を含み、前記２つの線の境界において前記２つの線の傾きが互いに異なり、前記境界は前記断面の中央部分に位置し、前記中央部分において前記本体の厚みが最大となる、請求項１に記載のリフレクタ。
【請求項３】
前記２つの線は、前記リフレクタの外側に凸な形状を形成する、請求項２に記載のリフレクタ。
【請求項４】
前記本体の最大厚みは３．５ｍｍ以上５．０ｍｍ以下である、請求項２に記載のリフレクタ。
【手続補正２】
【補正対象書類名】明細書
【補正対象項目名】００１０
【補正方法】変更
【補正の内容】
【００１０】
１つの実施態様では、前記本体の厚み方向の断面において、前記表面は２つの線を含み、前記２つの線の境界において前記２つの線の傾きが互いに異なり、前記境界は前記断面の中央部分に位置し、前記中央部分において前記本体の厚みが最大となる。